(57)【要約】【課題】床面と当該床面に直交する壁面がある室内に省部材化が図られた箱物家具の構造を提供する。【解決手段】床面２に固定される突起物１１、この突起物１１に嵌合して立設される平行な少なくとも２枚の側板部材１６Ａ，１６Ｂ同士を連結・補強する棒状補強材２０、側板部材１６Ａ，１６Ｂ間に設けられる複数枚の棚部材２４を備え、側板部材１６Ａ，１６Ｂの下面に突起物１１と嵌合するとともに、突起物１１を隠す凹部１９を設け、側板部材１６Ａ，１６Ｂの後方端面を壁面３に接するように設けた箱物家具の構造とする。これにより、床面と当該床面に直交する壁面がある室内に、背板、底板、天板が省略され、省部材化が図られた箱物の家具を設けることができる。【選択図】　図１
2004065753.tif 000002
【特許請求の範囲】
【請求項１】
建物の壁面に接して床面に設けられる箱物家具の構造であって、前記床面に固定される突起物と、この突起物に嵌合して立設される互いに平行な少なくとも２枚の側板部材と、これらの側板部材同士を連結・補強する棒状補強材と、前記側板部材間に設けられる複数枚の棚部材と、を備えて構成され、前記側板部材の下面には前記突起物と嵌合するとともに、当該突起物を隠す凹部が設けられ、前記側板部材はその後方端面が前記壁面に接するように設けられていることを特徴とする箱物家具の構造。
【請求項２】
請求項１に記載の箱物家具の構造において、
前記突起物は、壁面用突起物を含み構成されるとともに、この壁面用突起物が前記壁面に設けられ、前記側板部材の後方端面には、前記壁面用突起物と嵌合し、かつ、当該壁面用突起物を隠す凹部が設けられていることを特徴とする箱物家具の構造。
【請求項３】
請求項１に記載の箱物家具の構造において、
前記突起物は、天井面用突起物を含み構成されるとともに、この天井面用突起物が前記天井面に設けられ、前記側板部材の上端面には、前記天井面用突起物と嵌合し、かつ、当該天井面用突起物を隠す凹部が設けられていることを特徴とする箱物家具の構造。
【請求項４】
請求項１ないし請求項３のいずれかに記載の箱物家具の構造において、前記突起物は、前記床面、壁面および天井面に止着部材での取り付けが可能な孔加工済みの所定長さのレール部材で形成されていることを特徴とする箱物家具の構造。
【請求項５】
請求項１ないし請求項３のいずれかに記載の箱物家具の構造において、前記突起物は、前記床面、壁面および天井面に止着部材での取り付けが可能な孔加工済みのだぼ部材で形成されていることを特徴とする箱物家具の構造。
【請求項６】
請求項１ないし請求項５のいずれかに記載の箱物家具の構造において、前記棒状補強材は複数本有り、そのうち前面上端部に設けられた上部補強材には、家具の前面に取り付けられる扉を吊すガイドレールが組み込まれていることを特徴とする箱物家具の構造。
【請求項７】
建物の直交する第１、第２の壁面に接して床面に設けられる箱物家具の構造であって、前記床面に固定される突起物と、この突起物に嵌合するとともに前記第２の壁面から所定距離離れ、かつ、平行に立設される１枚の側板部材と、この側板部材の前面上端部に設けられた棒状補強材と、前記側板部材に設けられる複数枚の棚部材と、を備えて構成され、前記側板部材の下面には前記突起物と嵌合するとともに、当該突起物を隠す凹部が設けられ、前記側板部材はその後方端面が前記第１の壁面に接するように設けられ、前記棒状補強材の一端部は前記第２の壁面に接するように設けられていることを特徴とする箱物家具の構造。
【発明の詳細な説明】
【０００１】
【発明の属する技術分野】
本発明は、建物の室内に設けられる箱物家具の構造に関する。
【０００２】
【背景技術】
建物の室内に設けられる箱物の家具で部材を省略したものが知られている。
例えば、１）　特開平８ー３３２１２６号公報、２）　特開平１０ー２０１５５０号公報が挙げられる。
１）　の収納構造によれば、室内の壁の凹部に収納部を設けるために考えられたもので、凹部に収まる手前フレーム枠を備えており、側板、天板、背板が省略されている収納構造となっている。
２）　の玄関収納装置によれば、底板の一部が着脱自在に設けられており、収納スペースをより広くするために省略される場合がある。
【０００３】
【発明が解決しようとする課題】
しかし、前記１）　の収納構造では、室内凹部に設けるためのものであるため、凹部内の壁面を、側板、背板として利用できるが、凹部以外の部位では側板に代わるものがないため、収納部を設けることができないという問題がある。
また、２）　の玄関収納装置では、底板が省略される場合があるが、省略される部材が少なく、部品点数の減少が充分でない。
【０００４】
本発明の目的は、床面と当該床面に直交する壁面がある室内に配置される箱物家具の省部材化を図れる、箱物家具の構造を提供することにある。
【０００５】
【課題を解決するための手段】
請求項１に記載の発明は、図面を参照して説明すると、図１に示すように、建物の壁面に接して床面に設けられる箱物家具の構造であって、前記床面２に固定される突起物１１と、この突起物１１に嵌合して立設される平行な少なくとも２枚の側板部材１６Ａ，１６Ｂと、これらの側板部材１６Ａ，１６Ｂ同士を連結・補強する棒状補強材２０と、前記側板部材１６Ａ，１６Ｂ間に設けられる複数枚の棚部材２４と、を備えて構成され、前記側板部材１６Ａ，１６Ｂの下面には前記突起物１１と嵌合するとともに、当該突起物１１を隠す凹部１９が設けられ、前記側板部材１６Ａ，１６Ｂはその後方端面が前記壁面３に接するように設けられていることを特徴とする箱物家具の構造である。
【０００６】
このような本発明によれば、棒状補強材で補強され、かつ、複数枚の棚部材が設けられた２枚の側板を、その後方端面を建物の壁面に接触させ、かつ、床面に固定された突起物に嵌め込めば、箱物の家具を構成することができるので、床面と当該床面に直交する壁面がある室内に、背板、底板、天板が省略され、省部材化が図られた箱物の家具を設けることができる。
【０００７】
請求項２に記載の発明は、図４に示すように、請求項ｌに記載の箱物家具の構造において、前記突起物は、壁面用突起物３１を含み構成されるとともに、この壁面用突起物３１が前記壁面３に設けられ、前記側板部材１６Ａ，１６Ｂの後方端面には、前記壁面用突起物３１と嵌合し、かつ、当該壁面用突起物３１を隠す凹部３９が設けられていることを特徴とするものである。
【０００８】
このような本発明によれば、側板部材は、下面が床に設けられた突起物に嵌合するとともに、後方端面が壁面に設けられた突起物と嵌合して設けられるので、２箇所で支持されることになり、背板、底板、天板がなくても、箱物家具を安定した状態で設置することができる。
【０００９】
請求項３に記載の発明は、図５に示すように、請求項ｌに記載の箱物家具の構造において、前記突起物は、天井面用突起物４１を含み構成されるとともに、この天井面用突起物４１が前記天井面４に設けられ、前記側板部材の上端面には、前記天井面用突起物４１と嵌合し、かつ、当該天井面用突起物４１を隠す凹部４９が設けられていることを特徴とするものである。
【００１０】
このような本発明によれば、側板部材は、下面が床に設けられた突起物に嵌合されるとともに、上端面が天井面に設けられた突起物に嵌合されて設けられるので、上下２箇所で支持されることになり、背板、底板、天板がなくても、箱物家具を安定した状態で設置することができる。
【００１１】
請求項４に記載の発明は、図３に示すように、請求項ｌないし請求項３のいずれかに記載の箱物家具の構造において、前記突起物１１Ａ，１１Ｂは、前記床面２、壁面および天井面に止着部材での取り付けが可能な孔１３Ａ加工済みの所定長さのレール部材１１で形成されていることを特徴とするものである。
【００１２】
このような本発明によれば、側板部材を取り付けるには、レール部材を床面および天井面の所定の位置に取り付け、そのレール部材に側板部材の凹部を嵌合させればよく、レール部材は取扱いやすい上に、孔加工済みなので、止着部材によるレール部材の取り付けも容易である。また、所定長さのレール部材に側板部材の凹部が嵌合し、スライドさせて取り付けられるので、確実な支持が行われるとともに、天井面に至る高さの家具を容易に取り付けることができる。
【００１３】
請求項５に記載の発明は、図６に示すように、請求項ｌないし請求項３のいずれかに記載の箱物家具の構造において、前記突起物は、前記床面２、壁面３および天井面に止着部材での取り付けが可能な孔加工済みのだぼ部材５１で形成されていることを特徴とするものである。
【００１４】
このような本発明によれば、側板部材を取り付けるには、だぼ部材を床面および天井面の所定の位置に取り付け、そのだぼ部材に側板部材の凹部を嵌合させればよく、設置作業が容易である。また、だぼ部材は取扱いやすい上に、孔加工済みなので、止着部材によるだぼ部材の取り付けも容易である。
【００１５】
請求項６に記載の発明は、図１に示すように、請求項１ないし請求項５のいずれかに記載の箱物家具の構造において、前記棒状補強材２０は複数本有り、そのうち前面上端部に設けられた上部補強材２１には、家具の前面に取り付けられる扉２７を吊すガイドレール２８が組み込まれていることを特徴とするものである。
【００１６】
このような本発明によれば、上部補強材は、少なくとも２枚の側板同士を連結・補強するとともに、扉を吊すこともできるので、このようなタイプの扉を設ける際に、扉を吊すための部材を別個に設けなくてもよく、この点で省部材化を図ることができる。
【００１７】
請求項７に記載の発明は、図８に示すように、建物の直交する第１、第２の壁面３Ａ，３Ｂに接して床面２に設けられる箱物家具の構造であって、前記床面２に固定される突起物６１と、この突起物６１に嵌合するとともに前記第２の壁面３Ｂから所定距離離れ、かつ、平行に立設される１枚の側板部材６６と、この側板部材６６の前面上端部に設けられた上部補強材２１と、前記側板部材６６に設けられる複数枚の棚部材２４と、を備えて構成され、前記側板部材６６の下面には前記突起物６１と嵌合するとともに、当該突起物６１を隠す凹部６９が設けられ、前記側板部材６６はその後方端面が前記第１の壁面３Ａに接するように設けられ、前記上部補強材２１の一端部は前記第２の壁面３Ｂに接するように設けられるとともに、前記上部補強材２１には、扉２７を吊すガイドレール２８が組み込まれていることを特徴とする箱物家具の構造である。
【００１８】
このような本発明によれば、第２の壁面から所定距離離れた位置に、床面に設けられた突起物に支持されて側板部材が設けられ、側板部材の上端に設けられた棒状補強材の一端部は第２の壁面に接しており、この棒状補強材に扉を吊すガイドレールが組み込まれているので、第２の壁面が側板部材の代わりとなり、側板部材が１枚ですむ。その結果、省部材化を図ることができるとともに、室内のコーナ部を収容部とすることができるで、コーナ部の有効活用を図ることができる。
【００１９】
【発明の実施の形態】
以下に、本発明に係る箱物家具の実施形態を図面に基づいて説明する。
図１には、第１実施形態の箱物家具１０を建物の室内に設けた状態が示されている。箱物家具１０は、所定の床面２上に設けられる突起物としての一対のレール部材１１と、この一対のレール部材１１に支持される一対の側板部材１６と、この一対の側板部材１６間に架けわたされ、側板部材１６を連結・補強する棒状補強材２０と、一対の側板部材１６間にわたって設けられる複数枚の棚部材２４とを備えて構成され、棒状補強材２０は、一対の側板部材１６の前面上部間に架けわたされた上部補強材２１と、一対の側板部材１６の後面間に架けわたされた後部補強材２２，２３を含んで構成されている。
【００２０】
図２にも示すように、一対のレール部材１１は、互いに所定間隔をおいた平行な第１レール１１Ａと第２レール１１Ｂとで構成され、各レール１１Ａ，１１Ｂは、その長さ方向が、室内壁面３に対して直交して敷設されるようになっている。各レール１１Ａ，１１Ｂは、図３に詳細を示すように、上方に突出する突出部１２と、この突出部１２の床面側端部に両外側に向いて設けられたフランジ部１３とを備え、断面ハット形状に形成されている。
【００２１】
各レール１１Ａ，１１Ｂとも、例えば鉄板を折り曲げて連続する所定長さに形成されており、フランジ部１３には、例えば止着部材としてのビスでの取り付けが可能な孔１３Ａが予め所定間隔であけられている。そして、各レール１１Ａ，１１Ｂの取り付けに際しては、長さ方向一端を室内壁面３に当接させた状態で、フランジ部１３の孔１３Ａからビス等をねじ込んで、床面２に固定するようになっている。
【００２２】
一対の側板部材１６は、前記一対のレール部材１１の第１レール１１Ａと第２レール１１Ｂにそれぞれ対応する、第１側板１６Ａと第２側板１６Ｂとを含んで構成されている。これらの第１側板１６Ａと第２側板１６Ｂとの幅寸法は、第１レール１１Ａと第２レール１１Ｂとの長さにほぼ等しい寸法に形成され、また、一対の側板部材１６の高さ寸法は、床面から天井面に至る高さに形成されている。
【００２３】
図１に戻って、第１側板１６Ａと第２側板１６Ｂとも、心材１５の両面に、例えば塩ビ製の化粧板材１７を張り付けて形成されており、下端部および壁面３側の端部を除く周縁には、塩ビ製の化粧縁部材１８が張り付けられている。なお、第１側板１６Ａと第２側板１６Ｂの後方端面、つまり、壁面３と当接する面には、化粧縁部材１８は張り付けられていない。
【００２４】
各側板１６Ａ，１６Ｂの下端部には凹部１９が形成されており、この凹部１９には、前記レール部材１１の第１レール１１Ａと第２レール１１Ｂとの突出部１２が挿入されるようになっている。このような凹部１９は、各側板１６Ａ，１６Ｂの下端から所定寸法上方に、横方向に延びて設けられている心材１５Ａの下面と、その両側の化粧板材１７とにより形成される空間で形成されている。そして、この凹部１９にレール部材１１の第１レール１１Ａ、第２レール１１Ｂの突出部１２が挿入されたとき、各側板１６Ａ，１６Ｂの端部が、レール部材１１のフランジ部１３の上面に載るように、突出部１２および各側板１６Ａ，１６Ｂの寸法が設定され、このとき、フランジ部１３の大半は、各側板１６Ａ，１６Ｂの下端で隠されるようになっている。
【００２５】
第１側板１６Ａと第２側板１６Ｂとは、それぞれの前方上端部間に設けられた前記上部補強材２１および後部端部間に設けられた前記後部補強材２２，２３により一体的に連結されている。
また、第１側板１６Ａと第２側板１６Ｂとの間には、上下方向に所定間隔をあけて複数枚の前記棚部材２４が着脱可能に設けられている。この棚部材２４は、各側板１６Ａ，１６Ｂの、例えば前後２箇所に設けられた図示しない棚受け部材に支持されており、これらの棚受け部材の高さ方向取付位置は、調整可能となっている。
【００２６】
第１側板１６Ａと第２側板１６Ｂとの上部前方には、切り欠き部が形成されており、前記上部補強材２１は、この切り欠き部に取り付けられている。また、上部補強材２１は、各側板１６Ａ，１６Ｂの上端面に取り付けられた幕板２６により隠されるようになっている。この幕板２６は、各側板１６Ａ，１６Ｂ間にわたって設けられ、上部補強材２１を隠すとともに、第１側板１６Ａおよび第２側板１６Ｂの前側上部と天井面との隙間を隠すものである。
【００２７】
さらに、第１側板１６Ａと第２側板１６Ｂとの前面には、折り畳み式の扉２７が設けられている。扉２７は、一端が、例えば第２側板１６Ｂの内側との間に図示しない蝶番を介して設けられ、他端には、上部補強材２１の下面に設けられたガイドレール２８に係合する図示しないガイドピンが設けられ、これにより、扉２７は上部補強材２１に移動可能に吊されていることになる。
【００２８】
次に、以上のような第１実施形態の家具１０の設置作業を説明する。
室内の床面２の所定位置に、一対のレール部材１１の第１レール１１Ａと第２レール１１Ｂとを、所定の間隔をあけて配置するとともに、各レール１１Ａ，１１Ｂの後方端面を壁面３に押し当て、かつ、フランジ部１３を床面２に押し付けた状態で、フランジ部１３にあけられたビス孔１３Ａからビスをねじ込み、各レール１１Ａ，１１Ｂを床面２に固定する。
【００２９】
一方、予め、第１側板１６Ａと第２側板１６Ｂとの上部を、上部補強材２１および後部補強材２２，２３で連結し、第１側板１６Ａと第２側板１６Ｂとを強固な一体構造としたものを、各側板１６Ａ，１６Ｂの凹部１９を、一対のレール部材１１の第１レール１１Ａと第２レール１１Ｂとの各突出部１２に挿入させるとともに、壁面３に向かってスライドさせ、各側板１６Ａ，１６Ｂの後方端面を壁面３に当接させる。
なお、棚部材２４および扉２７も予め取り付けられている。
【００３０】
このような実施形態によれば、次のような効果がある。
（１）　一対の側板部材１６の後方端面を壁面３に押し付けるとともに、下面を、床面２に取り付けられているレール部材１１の突出部１２に嵌合させて取り付け、棚部材２４等を取り付ければ、箱物家具１０が構成されるので、床面２とそれに直交する壁面３を有する室内に、背板、底板および天板がなく、省部材化が図られた箱物家具１０を設置することができる。
【００３１】
（２）　一対のレール部材１１を床面２に取り付けておき、この一対のレール部材１１の突出部１２に凹部１９を嵌合させ、スライドさせれば一対の側板部材１６を取り付けることができるので、天井高さに至る箱物家具１０を室内に容易に設けることができる。
（３）　一対のレール部材１１に一対の側板部材１６を取り付けることで箱物家具１０を構成することができ、一対の側板部材１６は、その上端が天井面に至る寸法に形成されているので、この箱物家具１０は、天井面と床面２とで支持されることになり、上下での支持となって安定し、設置がより確実となる。
【００３２】
（４）　一対のレール部材１１を構成する第１，２のレール１１Ａ，１１Ｂのフランジ部１３には、ビス孔１３Ａが予めあけられているので、レール１１Ａ，１１Ｂを所定の位置に配置し、ビス孔１３Ａからビス等をねじ込んで行えばよく、一対のレール部材１１の取り付けが容易である。
（５）　箱物家具１０には扉２７が設けられているので、内部へのゴミ等の侵入を防止することができる。
【００３３】
次に、図４に基づいて本発明の第２実施形態を説明する。
本実施形態の箱物家具の構造は、室内の床面２に前記一対のレール部材１１を床用として設けるとともに、突起物として壁面３に一対の壁用レール部材３１を設け、これらに一対の側板部材３６を取り付けて箱物家具３０を形成したものである。
この実施形態において、前記第１実施形態と同じ使用部材、構造等には、同一符号を付すとともに、それらの詳細な説明は、省略または簡略化する。
【００３４】
前記壁用レール部材３１は、前記レール部材１１より長さが長いが、構造は、レール部材１１の構造とほぼ同じとなっており、第１部材３１Ａと第２部材３１Ｂとを含み構成されている。そして、それぞれの部材３１Ａ，３１Ｂが、壁面３から室内側に突出する突出部１２と、フランジ部１３とを有し、このフランジ部１３には、図３に示すようなビス孔１３Ａがあけられている。
【００３５】
このような床用レール部材１１および壁用レール部材３１に対し、一対の側板部材３６を構成する第１側板３６Ａ、第２側板３６Ｂには、下端と後方端面とにそれぞれ凹部１９，３９が設けられている。この凹部３９は、前記第１実施形態の凹部１９の構造とほぼ同じである。そして、各レール部材１１，３１の突出部１２に、一対の側板部材３６における第１側板３６Ａ、第２側板３６Ｂ凹部１９，３９が挿入されたとき、フランジ部１３の大半は隠れるようになっている。
なお、第１側板３６Ａ、第２側板３６Ｂの幅寸法および高さ寸法は、前記第１実施形態の第１側板１６Ａ、第２側板１６Ｂとほぼ同じであり、各側板３６Ａ，３６Ｂ間には、図示していないが前記後部補強材２３が設けられ、また、上部補強材２１には、前記ガイドレール２８が設けられている。
【００３６】
このような第２実施形態の箱物家具３０の設置作業は、まず、第１実施形態と同じように床用レール部材１１を取り付けるとともに、壁面３に、床用レール部材１１と同じ垂直面上に壁用レール部材３１を取り付ける。壁用レール部材３１の取り付けは、そのフランジ部１３を室内壁面３に押し付けておいて、孔１３Ａ（図３参照）からビス等をねじ込んで行う。
次いで、上部補強材２１、後部補強材２２，２３で一体化された一対の側板部材３６を、床用レール部材１１および壁用レール部材３１に取り付ける。この際、側板部材３６における第１側板３６Ａ、第２側板３６Ｂの凹部１９，３９を、床用レール部材１１および壁用レール部材３１の突出部１２に挿入して取り付ける。
【００３７】
このような第２実施形態によれば、前記（１）　〜（５）　と同様の効果の他、次のような効果がある。
（６）　床用レール部材１１と壁用レール部材３１とにより一対の側板部材３６が支持されるので、側板部材３６の支持が２箇所での支持となり、さらに安定した支持となり、設置がより確実となる。
【００３８】
次に、図５に基づいて本発明の第３実施形態を説明する。
本実施形態の家具構造は、室内の床面２と天井面４とにそれぞれ一対の床用レール部材１１、天井用レール部材４１を設け、これらのレール部材１１，４１に一対の側板部材４６を取り付けて箱物家具４０を形成したものである。
【００３９】
天井用レール部材４１は、第１、第２実施形態の床用レール部材１１を上向きに取り付けたものであり、床用レール部材１１と同様に突出部１２とフランジ部１３とを有している。このフランジ部１３には、図３に示すようにビス孔１３Ａがあけられている。
一対の側板部材４６は、前記各側板部材１６，３６とほぼ同じ大きさに形成されており、第１側板４６Ａ、第２側板４６Ｂを含み構成されている。このような各側板部材１６，３６の上端には、前記凹部１９と同じような構造の凹部４９が形成され、下端には、前記凹部１９が形成されている。
【００４０】
このような第３実施形態の箱物家具４０の設置作業は、まず、床用レール部材１１を取り付けるとともに、この床用レール部材１１と同じ垂直面上に天井用レール部材４１を取り付ける。天井用レール部材４１の取り付けは、フランジ部１３を天井面４に押し付けておいて、ビス孔１３Ａからビス等をねじ込んで行う。
次いで、上部連結板２１等で一体化された一対の側板部材４６を、床用レール部材１１および天井用レール部材４１に取り付ける。この際、側板部材４６の各部材４６Ａ，４６Ｂの凹部１９，４９を、床用レール部材１１および天井用レール部材４１の突出部１２に挿入するとともに、壁面３に向かってスライドさせて取り付ける。
【００４１】
このような第３実施形態によれば、前記（３）　を除く（１）　〜（５）　と同様の効果の他、次のような効果がある。
（７）　床用レール部材１１と天井用レール部材４１とにより一対の側板部材４６が支持されるので、上下での支持となり安定し、箱物家具４０の設置がより確実となる。
【００４２】
次に、図６に基づいて本発明の第４実施形態を説明する。
本実施形態の箱物家具の構造は、室内の床面２に、突起物としての複数のだぼ部材５１を設け、これらのだぼ部材５１に、前記第１実施形態の一対の側板部材１６を取り付けて箱物家具５０を形成したものである。つまり、第１実施形態の一対のレール部材１１に換えて複数のだぼ部材５１を設けたものである。そのため、だぼ部材５１の外径寸法は、側板部材１６の凹部１９に挿入可能となるように、前記レール部材１１の突出部１２の幅寸法とほぼ同じ大きさに形成されている。
【００４３】
だぼ部材５１は、図７に詳細を示すように、円柱状の立ち上がり部５２とその底部に設けられた鍔部５３とを有し、鍔部５３には、床面２等に取り付けるための孔５３Ａが予めあけられている。図６に戻って、だぼ部材５１は、一対の側板部材１６に対応して、壁面３に対して直交する床面２の前後２箇所に、互いに平行となるように２列に設けられている。
このようなだぼ部材５１に対し、一対の側板部材１６には、前述のようにその下端に凹部１９が設けられている。そして、一対の側板部材１６の第１、第２側板１６Ａ，１６Ｂの下端がだぼ部材５１に挿入されたとき、だぼ部材５１は第１、第２側板１６Ａ，１６Ｂの下端に隠れるようになっている。
【００４４】
このような第４実施形態の箱物家具５０の設置作業は、まず、だぼ部材５１を、床面２の前後２箇所に、互いに平行となるように２列に設け、これらのだぼ部材５１に、一対の側板部材１６を取り付ける。この際、側板部材１６における第１、第２側板１６Ａ，１６Ｂの凹部１９を、だぼ部材５１に挿入し、かつスライドさせて取り付ける。
【００４５】
このような第２実施形態によれば、前記（５）　と同様の効果の他、次のような効果がある。
（８）　一対の側板部材１６の後方端面を壁面３に押し付けるとともに、下面を、床面２に取り付けられているだぼ部材５１の立ち上がり部５２に嵌合させて取り付け、棚部材２４等を取り付ければ、箱物家具５０が構成されるので、床面２とそれに直交する壁面３を有する室内に、背板、底板および天板がなく、省部材化が図られた箱物家具５０を設置することができる。
【００４６】
（９）　複数のだぼ部材５１を床面２に取り付けておき、これらのだぼ部材５１の立ち上がり部５２に、一対の側板部材１６の第１、第２側板１６Ａ，１６Ｂの凹部１９を嵌合させ、スライドさせれば一対の側板部材１６を取り付けることができ、箱物家具５０を室内に容易に設けることができる。
【００４７】
（１０）複数のだぼ部材５１に一対の側板部材１６を取り付けることで家具５０を構成することができ、一対の側板部材６６は、その上端が天井面に至る寸法に形成されているので、この箱物家具５０は、天井面と床面２とで支持されることになり、上下での支持となって安定し、設置がより確実となる。
（１１）だぼ部材５１の鍔部５３には、ビス孔５３Ａが予めあけられているので、だぼ部材５１を所定の位置に配置し、ビス孔５３Ａからビス等をねじ込んで行えばよく、だぼ部材５１の取り付けが容易である。
【００４８】
次に、図８に基づいて本発明の第５実施形態を説明する。
本実施形態の箱物家具の構造は、室内の互いに直交する第１、第２の壁面３Ａ，３Ｂが交差する角部に箱物家具６０を設けたものである。
本実施形態では、１枚の側板部材６６を第２の壁面３Ｂに平行となるように、１本のレール部材６１に取り付けて上記箱物家具６０を構成したものである。
すなわち、１本のレール部材６１は、第２の壁面３Ｂから所定距離離れた位置の床面２に、その壁面３Ｂと平行に、つまり、第１の壁面３Ａに対して直交させて取り付けられている。レール部材６１は、前記第１実施形態のレール部材１１の、例えば第１レール１１Ａが使用されており、突出部１２とフランジ部１３とを有している。側板部材６６の下面には、レール部材６１の突出部１２に嵌合する凹部６９が設けられている。
【００４９】
第１の壁面３Ａには、側板部材６６の後方端面に対応する位置、かつ、上下２箇所位置に、前記だぼ５１が設けられており、これらのだぼ５１は、側板部材６６の後方端面に設けられた前記凹部３９と嵌合し、側板部材６６を位置決めしている。また、第２の壁面３Ｂには、扉２７を吊るために側板部材６６の上端に設けられている前記上部補強材２１の一端を支持するピン６４が設けられ、さらに、複数枚の棚部材２４の一端を支持する支持ピン６５が埋め込まれている。なお、側板部材６６の内側面にも棚部材２４の他端を支持する支持ピン６５が設けられている。
【００５０】
このような箱物家具６０の取り付け作業は、まず、１本のレール部材６１を床面２に取り付け、このレール部材６１に１枚の側板部材６６を、突出部１２に凹部６９を嵌め込むとともに、ピン６４に上部補強材２１の凹部を嵌め込むことで取り付ける。次いで、各棚部材２４を、それぞれ支持ピン６５上に載せて棚を形成する。
【００５１】
このような第５実施形態によれば、前記（２）　，（５）　，（１０），（１１）と同様の効果の他、次のような効果がある。
（１２）床用レール部材６１と側板部材６６とがそれぞれ１つですむので、さらに省部材化が図られる。また、箱物家具６０を室内のコーナ部に設けたので、コーナ部を収容部とすることができ、これにより、室内のコーナ部の有効利用を図ることができる。
【００５２】
なお、本発明は前記各実施形態に限定されるものではなく、本発明の目的を達成できるものであれば、次のような変形形態でもよいものである。
例えば、前記各実施形態では、レール部材１１，３１，４１は、例えば鉄板等を折り曲げ形成して突出部１２、フランジ部１３を設けた断面ハット状のものとしたが、これに限らず、図９に示すように、角材状のレール部材７１としてもよい。この場合、レール部材７１には、予め、床面２にビス止め等ができるように孔７１Ａがあけられている。
【００５３】
また、前記各実施形態では、レール部材１１，３１，４１の突出部１２とフランジ部１３とは、長さ方向に連続して形成されているが、これに限らず、四角形状としたフランジ部を例えば前後２箇所に形成してもよい。このようにすれば、重量が軽くなって取り扱いやすくなる。
【００５４】
また、前記第４，５実施形態のだぼ部材５１は、立ち上がり部５２と鍔部５３とを有する形状に形成されているが、これに限らず、例えば図１０に示すように、円柱状のだぼ部材８１としてもよい。この場合、だぼ部材８１には、予め、床面２に釘止めできるような孔８１Ａがあけられている。
【００５５】
また、前記第２実施形態では、床面２と壁面３とにレール部材１１を設けたが、これに限らず、いずれか一方の面にレール部材１１を設け、他方の面にだぼ部材５１を設けるようにしてもよく、あるいは、床面２と壁面３との両方の面にだぼ部材５１を設けてもよい。
【００５６】
さらに、前記第３実施形態では、床面２と天井面４とに床用レール部材１１、天井面用レール部材４１を設けたが、これに限らず、床面２と天井面４との両方の面にだぼ部材５１を設けてもよく、あるいは、レール部材とだぼ部材とを組み合わせ、いずれか一方の面にレール部材１１または４１を設け、他方の面にだぼ部材５１を設けるようにしてもよい。
また、前記第５実施形態では、床面２にレール部材１１を設け、壁面３にだぼ部材５１を設けたが、これに限らず、床面２と壁面３とにレール部材１１を設けてもよく、あるいは、床面２にだぼ部材５１を設け、壁面３にレール部材１１を設けてもよい。
【００５７】
また、前記各実施形態では、一対の側板部材１１等は、床面２から天井面にまで至る高さ寸法に形成されているが、これに限らず、天井面まで届かない寸法の箱物家具であってもよい。この場合、壁面に、例えば後部補強材２２または後部補強材２３を固定する固定具を設けておけばよい。また、一対の側板部材１１等の上面に例えば布切れ等を被せ、天板の替わりとすることで、内部へゴミ等が入り込むことを防止することができる。
【００５８】
【発明の効果】
以上に説明したように、請求項１の発明によれば、棒状補強材で補強し、かつ、複数枚の棚部材が設けられた２枚の側板を、その後方端面を建物の壁面に接触させ、かつ、床面に固定された突起物に嵌め込めば、箱物の家具を構成することができるので、床面と当該床面に直交する壁面がある室内に、背板、底板、天板が省略され、省部材化が図られた箱物の家具を設けることができる。
【００５９】
請求項２に記載の発明によれば、側板部材は、下面が床に設けられた突起物に嵌合するとともに、後方端面が壁面に設けられた突起物と嵌合して設けられるので、２箇所で支持されることになり、背板、底板、天板がなくても、箱物家具を安定した状態で設置することができる。
【００６０】
請求項３に記載の発明によれば、側板部材は、下面が床に設けられた突起物に嵌合されるとともに、上端面が天井面に設けられた突起物に嵌合されて設けられるので、上下２箇所で支持されることになり、背板、底板、天板がなくても、箱物家具を安定した状態で設置することができる。
【００６１】
請求項４に記載の発明によれば、側板部材を取り付けるには、レール部材を床面および天井面の所定の位置に取り付け、そのレール部材に側板部材の凹部を嵌合させればよく、レール部材は取扱いやすい上に、孔加工済みなので、止着部材によるレール部材の取り付けも容易である。また、所定長さのレール部材に側板部材の凹部が嵌合し、スライドさせて取り付けられるので、確実な支持が行われるとともに、天井面に至る高さの家具を容易に取り付けることができる。
【００６２】
請求項５に記載の発明によれば、側板部材を取り付けるには、だぼ部材を床面および天井面の所定の位置に取り付け、そのだぼ部材に側板部材の凹部を嵌合させればよく、設置作業が容易である。また、だぼ部材は取扱いやすい上に、孔加工済みなので、止着部材によるだぼ部材の取り付けも容易である。
【００６３】
請求項６に記載の発明によれば、上部棒状補強材は、少なくとも２枚の側板同士を連結、補強するとともに、扉を吊すこともできるので、このようなタイプの扉を設ける際に、扉を吊すための部材を別個に設けなくてもよく、この点で省部材化を図ることができる。
【００６４】
請求項７に記載の発明によれば、第２の壁面から所定距離離れた位置に、床面に設けられた突起物に支持されて側板部材が設けられ、側板部材の上端に設けられた棒状補強材の一端部は第２の壁面に接しており、この棒状補強材に扉を吊すガイドレールが組み込まれているいるので、第２の壁面が側板部材の代わりとなり、側板部材が１枚ですむ。その結果、省部材化を図ることができるとともに、室内のコーナ部を収容部とすることができるで、コーナ部の有効活用を図ることができる。
【図面の簡単な説明】
【図１】本発明に係る家具構造の第１実施形態を示す一部分解の全体斜視図である。
【図２】前記第１実施形態の家具を示す分解斜視図である。
【図３】前記実施形態のレール部材と側板部材の凹部との関係を示す斜視図である。
【図４】本発明の第２実施形態の家具を示す分解斜視図である。
【図５】本発明の第３実施形態の家具を示す縦断面図である。
【図６】本発明の第４実施形態の家具を示す分解斜視図である。
【図７】前記第４実施形態のだぼ部材を示す全体斜視図である。
【図８】本発明の第５実施形態の家具を示す縦断面図である。
【図９】本発明の変形形態のレール部材を示す斜視図である。
【図１０】本発明の第４実施形態に係るだぼ部材の変形形態を示す斜視図である。
【符号の説明】
２　　床面
３　　壁面
１０，３０，４０，５０，６０　箱物家具
１１　　突起物である一対のレール部材
１２　　突出部
１３　　フランジ部
１３Ａ　孔
１６，３６，４６，６６　一対の側面部材
１９，３９，４９，６９　凹部
２０　　棒状補強材
２１　　前部補強材
３１　　壁用レール部材
４１　　天井用レール部材
６１　　床用レール部材
【図１】
2004065753.tif 000003
【図２】
2004065753.tif 000004
【図３】
2004065753.tif 000005
【図４】
2004065753.tif 000006
【図５】
2004065753.tif 000007
【図６】
2004065753.tif 000008
【図７】
2004065753.tif 000009
【図８】
2004065753.tif 000010
【図９】
2004065753.tif 000011
【図１０】
2004065753.tif 000012